(57)【要約】【課題】部品点数を削減するとともに組付け易くする。【解決手段】液晶表示器１２の裏面側には、凹部１３，１３と凹部１３，１３に連通する非貫通孔１４，１４が凹設されている。非貫通孔１４，１４間には、一対の壁１５，１５が立設され、これら壁１５，１５間には、第１および第２の被係止部１６，１８が一体に形成されている。第１および第２の被係止部１６，１８と液晶表示器１２の裏面との間には、フレキシブルプリント配線ケーブル２１ａを導出する開口２０が設けられている。装置筺体の軸を凹部１３に挿入し、液晶表示器２１を幅方向に移動することにより、軸を非貫通孔１４に嵌入させる。装置筺体に取り付けられたブラケットによって液晶表示器１２の幅方向の移動が規制される。【選択図】        図４
2004264562.tif 000002
【特許請求の範囲】
【請求項１】
開口を設けた装置筺体と、この装置筺体の開口に嵌入する断面円弧状の被係止部を設けた表示器と、この表示器の被係止部が摺接する摩擦係止部材と、この摩擦係止部材が取り付けられ前記装置筺体に固定されたブラケットとを備え、前記表示器と装置筺体とに、表示器を幅方向に移動させることにより着脱可能で、装着することにより表示器を回動自在に枢支する枢支部を設け、前記ブラケットに前記枢支部に枢支された表示器の幅方向への移動を規制する規制部を設けたことを特徴とする表示器の取付構造。
【請求項２】
請求項１記載の表示器の取付構造において、前記被係止部によって前記表示器と前記装置筺体との間を電気的に接続するケーブルを覆ったことを特徴とする表示器の取付構造。
【請求項３】
請求項１または２記載の表示器の取付構造において、前記ブラケットに舌片を突設し、この舌片に弾性材によって角筒状に形成した摩擦係止部材を被冠したことを特徴とする表示器の取付構造。
【請求項４】
請求項１ないし３記載の表示器の取付構造において、前記枢支部を、前記表示器に設けた軸受孔と、前記装置筺体に設けた軸とによって構成し、前記装置筺体に軸に対応した孔を設け、この孔を前記ブラケットによって閉塞したことを特徴とする表示器の取付構造。
【発明の詳細な説明】
【０００１】
【発明の属する技術分野】
本発明は、電子機器等に設けられた表示器の取付構造に関し、特に表示角度が可変可能な表示器の取付構造に関する。
【０００２】
【従来の技術】
従来の表示器の取付構造は、表示器に円弧状に形成した被係止部を設け、この被係止部が摺接する摩擦係止部材を装置筺体に固定し、支軸を回動中心として表示器を回動させることにより、装置筺体に対して表示器の表示面の角度を可変できる構造のものがある。（特許文献１参照。）。
また、表示器が支承板の軸受孔に支承された支軸によって回動自在に支持されたものもある。（特許文献２参照。）。
【０００３】
なお、本出願人は、本明細書に記載した先行技術文献情報で特定される先行技術文献以外には、本発明に密接に関連する先行技術文献を出願時までに見付け出すことはできなかった。
【０００４】
【特許文献１】
実開平４−４４６８５号公報（４頁第３〜１６行、図１ないし図３）
【特許文献２】
特開２００２−４３０９１号公報（段落「００１１」、図５）
【０００５】
【発明が解決しようとする課題】
上述した従来の表示器の取付構造においては、支軸を介して表示器を回動自在に支持する構造であるために、支軸の他に支軸を軸架する支承板や止め輪等が必要になり部品点数が増加するというばかりではなく、支軸を支承板の軸受孔および表示器の支持孔に貫挿するという煩雑な作業が必要なために組付けづらいという問題もあった。
【０００６】
本発明は上記した従来の問題に鑑みなされたものであり、第１の目的は部品点数を削減することにある。また、第２の目的は組付け易くすることにある。
【０００７】
【課題を解決するための手段】
この目的を達成するために、請求項１に係る発明は、開口を設けた装置筺体と、この装置筺体の開口に嵌入する断面円弧状の被係止部を設けた表示器と、この表示器の被係止部が摺接する摩擦係止部材と、この摩擦係止部材が取り付けられ前記装置筺体に固定されたブラケットとを備え、前記表示器と装置筺体とに、表示器を幅方向に移動させることにより着脱可能で、装着することにより表示器を回動自在に枢支する枢支部を設け、前記ブラケットに前記枢支部に枢支された表示器の幅方向への移動を規制する規制部を設けたものである。
したがって、ブラケットを装置筺体に取り付けることにより、ブラケットの規制部によって表示器の枢支部からの脱落を規制する。
【０００８】
また、請求項２に係る発明は、請求項１に係る発明において、前記被係止部によって前記表示器と前記装置筺体との間を電気的に接続するケーブルを覆ったものである。
したがって、ケーブルが装置筺体の外部に露呈しない。
【０００９】
また、請求項３に係る発明は、請求項１または２に係る発明において、前記ブラケットに舌片を突設し、この舌片に弾性材によって角筒状に形成した前記摩擦係止部材を被冠したものである。
したがって、摩擦係止部材を舌片に取り付けるのに接着剤が不要になる。
【００１０】
また、請求項４に係る発明は、請求項１または３に係る発明において、前記枢支部を、前記表示器に設けた軸受孔と、前記装置筺体に設けた軸とによって構成し、前記装置筺体に軸に対応した孔を設け、この孔を前記ブラケットによって閉塞したものである。
したがって、ブラケットによって孔から装置筺体内に塵埃が侵入するのを防止できる。
【００１１】
【発明の実施の形態】
以下、本発明の実施の形態を図に基づいて説明する。図１は本発明に係る表示器の取付構造を採用した電話機の前面側から視た斜視図、図２は電話機の表示器を起こした状態の斜視図、図３は要部を示す斜視図、図４は表示器を背面側から視た斜視図、図５は同じくブラケットを示し、同図（ａ）は平面図、同図（ｂ）は正面図、同図（ｃ）は斜視図、図６は表示器とブラケットとを組付けた状態を示す要部の底面図、図７は図６におけるＶＩＩ−ＶＩＩ  線断面図であって、同図（ａ）は表示器を倒伏させた状態を示し、同図（ｂ）は表示器を起こした状態を示す、図８は図６におけるＶＩＩＩ−ＶＩＩＩ  線断面図である。
【００１２】
図１に全体を符号１で示す電子機器としての電話機は、共にプラスチックによって形成されたロアーケース２およびアッパーケース３によって装置の筺体が形成されている。アッパーケース３の幅方向（矢印Ａ−Ｂ方向）の一端側には受話器（図示せず）を載置する受話器載置部４が設けられ、他端側には複数のダイヤルボタン５と多数の機能ボタン６とが設けられている。
【００１３】
アッパーケース３の矢印Ｃ方向の端部には、図２に示すように平面視長方形に形成された凹嵌部７が設けられており、この凹嵌部７の矢印Ｄ方向の端部には、図３に示すように、平面視長方形に形成された開口８が穿設されている。この開口８の幅方向（矢印Ａ−Ｂ方向）の両端縁には、２つのボス９，９が一体に立設されており、これらボス９，９の上端部には共に矢印Ａ方向に突設された枢支部としての軸部９ａ，９ａが一体に設けられている。これら軸部９ａ，９ａに対応して凹嵌部７には２つの孔１０，１０が穿孔されている。これらの孔１０，１０は成型用金型によってアッパーケース３を形成するときの型抜き用の孔である。
【００１４】
図４において、１２はプラスチックによって扁平な直方体状に形成された液晶表示器であって、裏面側の矢印Ｄ方向の端部には、断面が略半円形に形成された２つの凹部１３，１３が幅方向に離間して設けられている。これら凹部１３，１３の矢印Ａ方向の端部には、共に矢印Ａ方向に延設された軸受孔としての非貫通孔１４，１４が凹設されている。また、凹部１３，１３間には、側面視扇形に形成され互いに対向する一対の壁１５，１５が一体に立設されており、これら壁１５，１５の上端部のそれぞれには、互いに向き合うように断面が円弧状に形成された第１の被係止部１６，１６が一体に突設されている。
【００１５】
これら第１の被係止部１６，１６の互いに対向する端部には、壁１５，１５と平行な挟持壁１７，１７が一体に設けられており、これら挟持壁１７，１７のそれぞれの下端間には、これら下端間を連結するように断面が円弧状に形成された第２の被係止部１８が一体に設けられている。この第２の被係止部１８の表面には、互いに平行となるように円弧方向に延在する３本のリブ１９が一体に突設されており、これら第１および第２の被係止部１６，１８と液晶表示器１２の裏面との間には、ケーブル２１ａを導き出すための開口２０が形成されている。
【００１６】
図５において、２２はプラスチックによって形成されたブラケットであって、背面板２３と、この背面板２３の幅方向の両端部に背面板２３と直交し矢印Ｄ方向に突設された一対の規制部２４，２４と、これら規制部２４，２４の外側に設けられた２つの閉塞部２５ａ，２５ｂとによって一体に形成されている。一対の規制部２４，２４間の間隔Ｗ２は、上記した一対の壁１５，１５間の間隔Ｗ１よりも僅かに大きく形成されている。２つの閉塞部２５ａ，２５ｂのそれぞれには、ねじ挿通孔２６，２６が穿孔されている。背面板２３には、舌片２７が矢印Ｄ方向に一体に突設されており、この舌片２７の表裏には小凸部２８，２８が一体に突設されている。
【００１７】
３０は全体が硬質のゴムによって両端が開口し角筒状に形成された摩擦係止部材であって、中空部３０ａの外形は、舌片２７の外形よりも僅かに小さく形成されている。また、この摩擦係止部材３０の幅Ｌ２は、上記した挟持壁１７，１７間の間隔Ｌ１よりも僅かに大きく形成され、全長Ｈ２は舌片２７の突出量Ｈ１と略同じに形成されている。したがって、この摩擦係止部材３０の中空部３０ａに舌片２７を圧入することにより、中空部３０ａが舌片２７に密着し、中空部３０ａの表面に小凸部２８が食い込むため、摩擦係止部材３０は舌片２７に強固に被冠される。このように、摩擦係止部材３０を角筒状に形成し、中空部３０ａを舌片２７に被冠することにより摩擦係止部材３０を組み付けることができるから、接着剤が不要になるばかりではなく組付けも容易になる。
【００１８】
このように構成されていることにより、液晶表示器１２を、図４に示す状態から表裏を反転させ、凹部１３に、図３に示すアッパーケース３のボス９の軸部９ａを挿入して、液晶表示器１２を凹嵌部７上に載置する。次いで、液晶表示器１２を矢印Ｂ方向、すなわち、液晶表示器１２の幅方向へ移動させることにより、軸部９ａが非貫通孔１４内に嵌入するから、液晶表示器１２が、図８に示すように、軸部９ａを回動中心として回動自在に支持され、凹嵌部７上に起伏自在に載置される。このとき、第２の被係止部１８は、凹嵌部７の開口８から凹嵌部７の裏面側に突出する。
【００１９】
この状態としてから、ブラケット２２の規制部２４の上面２４ａを凹嵌部７の裏面に対接させ、図６に示すように、背面部２３を矢印Ｃ方向側に位置させるようにして、ねじ挿通孔２６に挿通させたねじを、凹嵌部７の裏面に設けたねじ部（図示せず）に螺合させることによって、ブラケット２２を凹嵌部７の裏面に取り付ける。このブラケット２２を取り付けることによって、凹嵌部７の孔１０，１０がブラケット２２の閉塞部２５ａ，２５ｂによって閉塞される。このように、孔１０，１０がブラケット２２の閉塞部２５ａ，２５ｂによって閉塞されるから、この孔１０，１０から塵埃等がロアーケース２内に侵入するのを防止することができるため、ロアーケース２内における電子回路の短絡等を防止できる。
【００２０】
また、規制部２４，２４が液晶表示器１２の壁１５，１５の外側に対接し、これら壁１５，１５が規制部２４，２４に挟まれるため、液晶表示器１２の幅方向（矢印Ａ方向）への移動が規制される。したがって、液晶表示器１２の非貫通孔１４から軸部９ａが外れるようなことがないから、液晶表示器１２が凹嵌部７に取り付けられる。
【００２１】
このように取り付けられた液晶表示器１２の第２の被係止部１８には、摩擦係止部材３０が所定の押圧力をもって対接する。このため、液晶表示器１２を軸部９ａを回動中心として回動させると、第２の被係止部１８に摩擦係止部材３０が摺接するから、これらの間の摩擦力によって、液晶表示器１２を所望の表示角度に設定することが可能になる。このとき、第２の被係止部１８にリブ１９が突設されているため、このリブ１９によって摩擦係止部材３０とリブ１９との間の摩擦力が増大するから、液晶表示器１２を任意の表示角度に確実に固定することができる。このとき、摩擦係止部材３０が角筒状に形成され、中空部３０ａを舌片２７に圧入することにより、この摩擦係止部材３０が舌片２７に巻回されるように取り付けられるため、この摩擦係止部材３０に第２の被係止部１８が摺接しても、摩擦係止部材３０が舌片２７から脱落するようなことはない。
【００２２】
このように、ブラケット２２が、摩擦係止部材３０を取り付ける部材と、液晶表示器１２を凹嵌部７に取り付ける部材とを兼ねるため、部品点数を削減することができる。また、凹部１３に軸部９ａを挿入し、液晶表示器１２を幅方向へ移動させ、ブラケット２２を凹嵌部７の裏面に取り付けることにより、液晶表示器１２を組み付けることができるから、従来のように支軸を支承板の軸受孔および表示器の支持孔に貫挿するという煩雑な作業が不要になるため組付けが容易になる。
【００２３】
図７において、２１は液晶表示器１２内に実装したプリント配線板であって、ロアーケース２内に実装されたプリント配線板３１との間を、フレキシブルプリント配線ケーブル２１ａによって電気的に接続されている。このフレキシブルプリント配線ケーブル２１ａは、液晶表示器１２の開口２０から導出されており、この開口２０が、図４に示すように、一対の壁１５，１５、第１および第２の被係止部１６，１８によって覆われている。したがって、液晶表示器１２を、図７（ｂ）に示すように、軸部９ａを回動中心として反時計方向に回動させた状態としても、フレキシブルプリント配線ケーブル２１ａが外部に露呈することがない。このため、電話機１の外観の意匠を損なうことがなく、またフレキシブルプリント配線ケーブル２１ａの断線を防止することもできる。
【００２４】
なお、本実施の形態においては、摩擦係止部材３０を第２の被係止部１８に対接させるようにしたが、第１の被係止部１６に対接するようにしてもよく、その場合には、ブラケット２２に２つの摩擦係止部材を設ければよい。また、摩擦係止部材をブラケットに接着剤によって取り付けてもよい。
【００２５】
【発明の効果】
以上説明したように、請求項１に係る発明によれば、部品点数を削減することができるばかりではなく、組付けも容易になる。
【００２６】
また、請求項２に係る発明によれば、電子機器の外観の意匠を損なうことがなく、またフレキシブルプリント配線ケーブルの断線を防止することもできる。
【００２７】
また、請求項３に係る発明によれば、摩擦係止部材の取付けが容易になるばかりではなく、被係止部が摺接しても脱落を防止することができる。
【００２８】
また、請求項４に係る発明によれば、孔から塵埃等が筺体内に侵入するのを規制することができるから、筺体内における電子回路の短絡等を防止できる。
【図面の簡単な説明】
【図１】本発明に係る表示器の取付構造を採用した電話機の前面側から視た斜視図である。
【図２】本発明に係る表示器の取付構造を採用した電話機の表示器を起こした状態の斜視図である。
【図３】本発明に係る表示器の取付構造の要部を示す斜視図である。
【図４】本発明に係る表示器を背面側から視た斜視図である。
【図５】本発明に係る表示器の取付構造におけるブラケットを示し、同図（ａ）は平面図、同図（ｂ）は正面図、同図（ｃ）は斜視図である。
【図６】本発明に係る表示器の取付構造において、ブラケットと表示器とを組付けた状態を示す要部の底面図である。
【図７】図６におけるＶＩＩ−ＶＩＩ  線断面図であって、同図（ａ）は表示器を倒伏させた状態を示し、同図（ｂ）は表示器を起こした状態を示す。
【図８】図６におけるＶＩＩＩ−ＶＩＩＩ  線断面図である。
【符号の説明】
１…電話機、２…ロアーケース、３…アッパーケース、５…ダイヤルボタン、８…開口、９ａ…軸部、１０…孔、１２…液晶表示器、１３…凹部、１４…非貫通孔、１８…第２の被係止部、１９…リブ、２０…開口、２１，３１…プリント配線板、２１ａ…フレキシブルプリント配線ケーブル、２２…ブラケット、２４…規制部、２５…閉塞部、２７…舌片、２８…小凸部、３０…摩擦係止部材。
【図１】
2004264562.tif 000003
【図２】
2004264562.tif 000004
【図３】
2004264562.tif 000005
【図４】
2004264562.tif 000006
【図５】
2004264562.tif 000007
【図６】
2004264562.tif 000008
【図７】
2004264562.tif 000009
【図８】
2004264562.tif 000010